(57)【要約】【課題】固定パターンノイズの状態が変わった場合でも、その変化を即時に反映させた状態で固定パターンノイズの補正を行うことができる固体撮像装置を提供する。【解決手段】切り換え部５は、撮像画像信号の１フレーム期間内の有効期間にアナログゲイン部２が用いるゲイン値に応じて、複数の固定パターンノイズ検出部４の出力のいずれかを選択して出力する。固定パターンノイズ補正部６は、切り換え部５の出力に基づいて、撮像画像信号に含まれる固定パターンノイズを補正する。コントローラ７は、垂直ブランキング期間に、アナログゲイン部２に対して複数のゲイン値を設定し、当該垂直ブランキング期間に、複数の固定パターンノイズ検出部４に対して、複数のゲイン値に応じた固定パターンノイズを検出および保持させる制御を行う。【選択図】図１
2010141392.tif 000002
【特許請求の範囲】
【請求項１】
入射光に応じた信号を出力する複数の光電変換素子を有する画素アレイと、
前記画素アレイから出力される信号のゲインを調整し、撮像画像信号として出力するゲイン調整部と、
前記ゲイン調整部から出力される前記撮像画像信号をＡ／Ｄ変換するＡ／Ｄ変換部と、
前記撮像画像信号の１フレーム期間内のブランキング期間に、遮光された前記光電変換素子から出力された信号に基づき、前記Ａ／Ｄ変換部から出力される前記撮像画像信号から固定パターンノイズを検出し保持する複数の固定パターンノイズ検出部と、
前記撮像画像信号の１フレーム期間内の有効期間に前記ゲイン調整部が用いるゲイン値に応じて、前記複数の固定パターンノイズ検出部の出力のいずれかを選択して出力する選択部と、
前記選択部の出力に基づいて、前記Ａ／Ｄ変換部から出力される前記撮像画像信号に含まれる固定パターンノイズを補正する固定パターンノイズ補正部と、
前記ブランキング期間に、前記ゲイン調整部に対して複数のゲイン値を設定し、当該ブランキング期間に、前記複数の固定パターンノイズ検出部に対して、前記複数のゲイン値に応じた固定パターンノイズを検出および保持させる制御を行う制御部と、
を有することを特徴とする固体撮像装置。
【請求項２】
前記複数の固定パターンノイズ検出部は、第１の固定パターンノイズ検出部と第２の固定パターンノイズ検出部を有し、
前記制御部は、
前記ゲイン調整部が第１のゲイン値を用いている前記有効期間と同じ１フレーム期間内の前記ブランキング期間に、前記ゲイン調整部に対して前記第１のゲイン値と第２のゲイン値を設定し、
当該ブランキング期間に、前記第１の固定パターンノイズ検出部に対して、前記第１のゲイン値に応じた固定パターンノイズを検出および保持させ、
当該ブランキング期間に、前記第２の固定パターンノイズ検出部に対して、前記第２のゲイン値に応じた固定パターンノイズを検出および保持させ、
前記第２のゲイン値に応じた固定パターンノイズの検出および保持が完了したのち、前記有効期間に前記ゲイン調整部が用いている前記第１のゲイン値を前記第２のゲイン値に変更する制御を行う
ことを特徴とする請求項１に記載の固体撮像装置。
【請求項３】
前記複数の固定パターンノイズ検出部は、第１の固定パターンノイズ検出部と、第２の固定パターンノイズ検出部と、第３の固定パターンノイズ検出部とを有し、
前記制御部は、
前記ゲイン調整部が第１のゲイン値を用いている前記有効期間と同じ１フレーム期間内の前記ブランキング期間に、前記ゲイン調整部に対して、前記第１のゲイン値と、当該第１のゲイン値よりも大きな第２のゲイン値と、当該第１のゲイン値よりも小さな第３のゲイン値とを設定し、
当該ブランキング期間に、前記第１の固定パターンノイズ検出部に対して、前記第１のゲイン値に応じた固定パターンノイズを検出および保持させ、
当該ブランキング期間に、前記第２の固定パターンノイズ検出部に対して、前記第２のゲイン値に応じた固定パターンノイズを検出および保持させ、
当該ブランキング期間に、前記第３の固定パターンノイズ検出部に対して、前記第３のゲイン値に応じた固定パターンノイズを検出および保持させ、
前記有効期間に前記ゲイン調整部が用いている前記第１のゲイン値を前記第２のゲイン値に変更する場合、前記第２のゲイン値に応じた固定パターンノイズの検出および保持が完了したのち、前記ゲイン値を変更する制御を行い、
前記有効期間に前記ゲイン調整部が用いている前記第１のゲイン値を前記第３のゲイン値に変更する場合、前記第３のゲイン値に応じた固定パターンノイズの検出および保持が完了したのち、前記ゲイン値を変更する制御を行う
ことを特徴とする請求項１に記載の固体撮像装置。
【請求項４】
前記制御部は、
前記第１の固定パターンノイズ検出部に対して、毎フレームにおいて、固定パターンノイズを検出および保持させ、
前記第２の固定パターンノイズ検出部と前記第３の固体パターンノイズ検出部に対して、１フレーム毎に交互に、固定パターンノイズを検出および保持させる
ことを特徴とする請求項３に記載の固体撮像装置。
【発明の詳細な説明】
【技術分野】
【０００１】
本発明は、撮像画像信号に含まれる固定パターンノイズを補正する固体撮像装置に関する。
【背景技術】
【０００２】
今日のエリアイメージセンサの分野においては多画素化、高速撮像の需要がさらに拡大し、高速な信号処理が要求されるようになってきている。このため、画素から出力されたアナログ信号を処理する回路の高速化が課題となっている。そこで、通常、画素からの信号を列毎に同時に読み出したり、またその後の水平転送を１本に集約せず、出力段にアンプを複数備えたりするなど、いろいろな並列読み出し処理技術によって、多画素、高速撮像に対応している。
【０００３】
しかしながら、これら並列読み出し処理技術を適用した並列処理回路をレイアウト設計上では同じように設計しても、製造工程におけるばらつきなどが原因で、それら各々の特性にばらつきが生じる。この特性のばらつきは、出力画像においてはスジ状の固定パターンノイズとして見えてくる。
【０００４】
固定パターンノイズは、そのノイズパターンを記憶することができれば、補正することが可能である。そこで、後段にラインメモリ等を用いてノイズパターンを記憶し、デジタル信号処理にて、その補正を行う方法が用いられる。
【０００５】
上記のように各画素信号を列毎に並列に読み出しているので、列読み出し回路の特性がばらつくことによって出力信号がばらついてしまう。この列毎の入出力特性のばらつきを要因毎に分離すると、おもにオフセット性、ゲイン性、非線形性の３つに大別できる。これらばらつきのうち、出力画像で一番目につきやすく、またデジタル補正も容易なオフセット性のばらつきを抑え込むことが第一に要求される。
【０００６】
オフセット性のばらつきをデジタル値として認識させるには、一度、各並列回路のすべてに一定の同レベルの入力信号を与える期間を、有効画素を処理する期間とは別に設け、その出力のばらつきを記憶すればよい。そして、有効画素の撮像画像信号から、その記憶したばらつき量を減算すれば、オフセット性の縦スジ固定パターンノイズを補正することができる。
【０００７】
ただし、通常、出力信号には、熱雑音や１／ｆ雑音などといったアナログ回路特有のランダムノイズがのっているため、それを抑圧するフィルタリング処理も不可欠となる。そこで、特許文献１では、加算平均法を用いてランダムノイズを抑圧しており、また、補正値の精度を向上させるために、複数フレームにわたって加算平均したものを補正値としている。
【０００８】
【特許文献１】特開２００５−１６７９１８号公報
【発明の開示】
【発明が解決しようとする課題】
【０００９】
ところが、複数フレームにわたって補正値を求める場合、システムの状態変化などによって固定パターンノイズの状態が変わった時に、その変化を補正値に反映させるためにも複数フレームが必要となる。このため、固定パターンノイズの状態が変わってから複数フレームの間は、固定パターンノイズの補正効果が見られないという問題があった。
【００１０】
本発明は、上述した課題に鑑みてなされたものであって、固定パターンノイズの状態が変わった場合でも、その変化を即時に反映させた状態で固定パターンノイズの補正を行うことができる固体撮像装置を提供することを目的とする。
【課題を解決するための手段】
【００１１】
本発明は、上記の課題を解決するためになされたもので、入射光に応じた信号を出力する複数の光電変換素子を有する画素アレイと、前記画素アレイから出力される信号のゲインを調整し、撮像画像信号として出力するゲイン調整部と、前記ゲイン調整部から出力される前記撮像画像信号をＡ／Ｄ変換するＡ／Ｄ変換部と、前記撮像画像信号の１フレーム期間内のブランキング期間に、遮光された前記光電変換素子から出力された信号に基づき、前記Ａ／Ｄ変換部から出力される前記撮像画像信号から固定パターンノイズを検出し保持する複数の固定パターンノイズ検出部と、前記撮像画像信号の１フレーム期間内の有効期間に前記ゲイン調整部が用いるゲイン値に応じて、前記複数の固定パターンノイズ検出部の出力のいずれかを選択して出力する選択部と、前記選択部の出力に基づいて、前記Ａ／Ｄ変換部から出力される前記撮像画像信号に含まれる固定パターンノイズを補正する固定パターンノイズ補正部と、前記ブランキング期間に、前記ゲイン調整部に対して複数のゲイン値を設定し、当該ブランキング期間に、前記複数の固定パターンノイズ検出部に対して、前記複数のゲイン値に応じた固定パターンノイズを検出および保持させる制御を行う制御部と、を有することを特徴とする固体撮像装置である。
【００１２】
また、本発明の固体撮像装置において、前記複数の固定パターンノイズ検出部は、第１の固定パターンノイズ検出部と第２の固定パターンノイズ検出部を有し、前記制御部は、前記ゲイン調整部が第１のゲイン値を用いている前記有効期間と同じ１フレーム期間内の前記ブランキング期間に、前記ゲイン調整部に対して前記第１のゲイン値と第２のゲイン値を設定し、当該ブランキング期間に、前記第１の固定パターンノイズ検出部に対して、前記第１のゲイン値に応じた固定パターンノイズを検出および保持させ、当該ブランキング期間に、前記第２の固定パターンノイズ検出部に対して、前記第２のゲイン値に応じた固定パターンノイズを検出および保持させ、前記第２のゲイン値に応じた固定パターンノイズの検出および保持が完了したのち、前記有効期間に前記ゲイン調整部が用いている前記第１のゲイン値を前記第２のゲイン値に変更する制御を行うことを特徴とする。
【００１３】
また、本発明の固体撮像装置において、前記複数の固定パターンノイズ検出部は、第１の固定パターンノイズ検出部と、第２の固定パターンノイズ検出部と、第３の固定パターンノイズ検出部とを有し、前記制御部は、前記ゲイン調整部が第１のゲイン値を用いている前記有効期間と同じ１フレーム期間内の前記ブランキング期間に、前記ゲイン調整部に対して、前記第１のゲイン値と、当該第１のゲイン値よりも大きな第２のゲイン値と、当該第１のゲイン値よりも小さな第３のゲイン値とを設定し、当該ブランキング期間に、前記第１の固定パターンノイズ検出部に対して、前記第１のゲイン値に応じた固定パターンノイズを検出および保持させ、当該ブランキング期間に、前記第２の固定パターンノイズ検出部に対して、前記第２のゲイン値に応じた固定パターンノイズを検出および保持させ、当該ブランキング期間に、前記第３の固定パターンノイズ検出部に対して、前記第３のゲイン値に応じた固定パターンノイズを検出および保持させ、前記有効期間に前記ゲイン調整部が用いている前記第１のゲイン値を前記第２のゲイン値に変更する場合、前記第２のゲイン値に応じた固定パターンノイズの検出および保持が完了したのち、前記ゲイン値を変更する制御を行い、前記有効期間に前記ゲイン調整部が用いている前記第１のゲイン値を前記第３のゲイン値に変更する場合、前記第３のゲイン値に応じた固定パターンノイズの検出および保持が完了したのち、前記ゲイン値を変更する制御を行うことを特徴とする。
【００１４】
また、本発明の固体撮像装置において、前記制御部は、前記第１の固定パターンノイズ検出部に対して、毎フレームにおいて、固定パターンノイズを検出および保持させ、前記第２の固定パターンノイズ検出部と前記第３の固体パターンノイズ検出部に対して、１フレーム毎に交互に、固定パターンノイズを検出および保持させることを特徴とする。
【発明の効果】
【００１５】
本発明によれば、ブランキング期間に、複数のゲイン値に応じた固定パターンノイズが複数の固定パターンノイズ検出部で予め検出および保持される。また、有効期間にゲイン調整部が用いるゲイン値に応じて、複数の固定パターンノイズ検出部の出力のいずれかに基づいて、撮像画像信号に含まれる固定パターンノイズが補正される。これによって、固定パターンノイズの状態が変わった場合でも、その変化を即時に反映させた状態で固定パターンノイズの補正を行うことができる。
【発明を実施するための最良の形態】
【００１６】
以下、図面を参照し、本発明の実施形態を説明する。
【００１７】
（第１の実施形態）
まず、本発明の第１の実施形態を説明する。本実施形態は、後述する第２〜第４の実施形態の前提となる。図１は、本実施形態による固体撮像装置の構成を示している。図１に示す固体撮像装置は、画素アレイ１、アナログゲイン部２、Ａ／Ｄ変換部３、複数の固定パターンノイズ検出部４、切り換え部５、固定パターンノイズ補正部６、およびコントローラ７を備える。
【００１８】
画素アレイ１は、入射光に応じた信号を出力する複数の光電変換素子を有する。画素アレイ１は、所定時間、光を受けて光電荷を蓄積して光電変換を行い、光電荷に応じた信号（画素信号）を出力する。アナログゲイン部２は、画素アレイ１から出力される信号を増幅あるいは減衰させることによって信号のゲインを調整し、撮像画像信号として出力する。Ａ／Ｄ変換部３は、アナログゲイン部２から出力された撮像画像信号のＡ／Ｄ変換を行う。
【００１９】
固定パターンノイズ検出部４は、Ａ／Ｄ変換部３から出力された撮像画像信号に基づいて、縦スジ状の固定パターンノイズを検出し、検出した固定パターンノイズを保持する。固定パターンノイズ検出部４の個数は２以上であればよく、特に限定しない。固定パターンノイズ検出部４による固定パターンノイズの検出は、撮像画像信号の１フレーム期間内の垂直ブランキング期間に行われる。また、遮光された画素の光電変換素子から出力された信号に対応した撮像画像信号から固定パターンノイズが検出される。遮光された画素とは、常時遮光されたオプティカルブラック画素であってもよいし、メカニカルシャッターが閉じているときの有効画素であってもよい。
【００２０】
切り換え部５は複数の固定パターンノイズ検出部４の出力を切り換える。固定パターンノイズ補正部６は、切り換え部５の出力に基づいて、Ａ／Ｄ変換部３から出力される撮像画像信号に含まれる固定パターンノイズを補正する。コントローラ７は固体撮像装置全体を制御する。
【００２１】
図１に示す固体撮像装置の概略動作は以下のようになる。画素アレイ１には、図示しないレンズ系によって被写体からの光が入射される。画素アレイ１は、コントローラ７により制御される駆動パルスで駆動し、被写体光を光電変換により電気信号に変換する。画素アレイ１で変換された電気信号は順次読み出され、アナログゲイン部２のアナログゲイン処理により適当な振幅の撮像画像信号となる。アナログゲイン部２においては、コントローラ７により、撮像画像信号の１フレーム期間内の有効期間では、アナログゲインの調整に用いるアナログゲインの設定値（以下、ゲイン値とする）が１つ設定される。また、垂直ブランキング期間には、複数のゲイン値が設定される。
【００２２】
アナログゲイン部２から出力された撮像画像信号は、Ａ／Ｄ変換部３によりデジタル画像信号に変換される。一方、複数の固定パターンノイズ検出部４は、コントローラ７からの制御によって、垂直ブランキング期間に、複数のゲイン値に応じた固定パターンノイズの検出および保持を行う。
【００２３】
コントローラ７が、アナログゲイン部２に対して、有効期間の撮像画像信号のアナログゲインの調整に用いるゲイン値の変更を行うと、切り換え部５は、コントローラ７からの制御により、変更後のゲイン値に対応した補正データを予め取得しておいた固定パターンノイズ検出部４の出力を選択する。固定パターンノイズ補正部６は、撮像画像信号から固定パターンノイズを減算することで、縦スジ状の固定パターンノイズの補正を行う。予め複数のゲイン値に対応した固定パターンノイズを取得しておくことで、コントローラ７がゲイン値を変更した直後でも、適切な固定パターンノイズの補正を行うことができる。
【００２４】
図２は固定パターンノイズ検出部４の構成を示している。図２に示す固定パターンノイズ検出部４は、乗算器８Ａ，８Ｂ，８Ｃ、加算器９、およびラインメモリ１０を備える。乗算器８Ａは、入力信号に対して、コントローラ７により設定された係数αを乗算して出力する。乗算器８Ｂは、ラインメモリ１０に記憶されている補正値に対して、コントローラ７により設定された係数１−αを乗算して出力する。
【００２５】
加算器９は、乗算器８Ａの出力と乗算器８Ｂの出力を加算し、新しい固定パターンノイズの補正値を算出する。ラインメモリ１０は、コントローラ７からのメモリ制御信号に応じて、加算器９の出力を補正値として記憶する。乗算器８Ｃは、ラインメモリ１０に記憶されている補正値に対して、コントローラ７によって設定された係数βを乗算して出力する。ここで係数βは、ラインメモリ１０の出力のレベルと固定パターンノイズ補正部６のビット精度とのレベルを合わせるためのものである。
【００２６】
乗算器８Ａ，８Ｂ、加算器９、およびラインメモリ１０は、以下の（Ａ）式に示す演算によって、いわゆる巡回型ローパスフィルタを構成している。
新補正値 ＝ 入力信号×α ＋ 旧補正値 ×（１−α）  ・・・（Ａ）
ここで、０＜α≦１であり、αの値が大きくなると入力信号の割合が増えるため、現フレームの固定パターンノイズの値が、新しく生成される補正値に大きく反映されることとなる。αの値が小さくなると今までの補正値の割合が増えるため、ランダムノイズが抑圧された補正値が、新しく生成される補正値に大きく反映されることになる。
【００２７】
なお、初期動作時には、コントローラ７によりαに１が設定され、入力信号が直接ラインメモリ１０に記憶される。以降は、０＜α≦１となる値がαに設定され、巡回型ローパスフィルタの動作が行われる。
【００２８】
上述したように、本実施形態によれば、垂直ブランキング期間に、複数のゲイン値に応じた固定パターンノイズが複数の固定パターンノイズ検出部４で予め検出および保持される。また、有効期間にアナログゲイン部２が用いるゲイン値に応じて、複数の固定パターンノイズ検出部４の出力のいずれかに基づいて、撮像画像信号に含まれる固定パターンノイズが補正される。これによって、固定パターンノイズの状態が変わった場合でも、その変化を即時に反映させた状態で固定パターンノイズの補正を行うことができる。
【００２９】
（第２の実施形態）
次に、本発明の第２の実施形態を説明する。図３は、本実施形態による固体撮像装置の構成を示している。図１に示した固体撮像装置との相違点は、複数の固定パターンノイズ検出部４の代わりに２つの固定パターンノイズ検出部４Ａ，４Ｂを設けた点である。固定パターンノイズ検出部４Ａ，４Ｂの構成は、図２に示した構成と同一である。
【００３０】
以下、図４を用いて、本実施形態による固体撮像装置の動作を説明する。図４において、垂直ブランキングパルスは、撮像画像信号の１フレーム期間内の垂直ブランキング期間を示している。垂直ブランキングパルスがＬｏｗの期間は垂直ブランキング期間を示し、垂直ブランキング期間がＨｉｇｈの期間は有効期間を示している。ゲイン値ｍ，ｎ，ｏはアナログゲイン部２のゲイン設定値を示しており、実際の動作においては、＋３ｄＢや＋６ｄＢといったゲイン処理が行われる。（１）〜（６）は説明のためのフレームの番号を示している。
【００３１】
以下では、現在適応中のゲイン値がｎであり、次に設定する予定のゲイン値がｍの場合の動作を説明する。この動作は、予めゲイン値の変化がプログラムとして設定されており、その設定に応じてゲインを変化させながら撮像を行う場合の動作に対応する。
【００３２】
各フレームにおいて、垂直ブランキング期間に２種類の縦スジ検出期間（縦スジ検出期間１および縦スジ検出期間２）が設けられている。フレーム（１）〜（４）においては、コントローラ７により、縦スジ検出期間１のゲイン値にｍが設定され、縦スジ検出期間２と有効期間のゲイン値にｎが設定される。また、コントローラ７からの制御により、縦スジ検出期間１においては、ゲイン値がｍの時の固定パターンノイズが固定パターンノイズ検出部４Ｂによって取得され、縦スジ検出期間２においては、ゲイン値がｎの時の固定パターンノイズが固定パターンノイズ検出部４Ａによって取得される。
【００３３】
フレーム（１）〜（４）においては、有効期間のゲイン値にｎが設定されているため、切り換え部５は、コントローラ７からの制御により、ゲイン値がｎの時の固定パターンノイズが保持されている固定パターンノイズ検出部４Ａの出力を選択する。固定パターンノイズ補正部６は、固定パターンノイズ検出部４Ａからの補正値に基づいて、Ａ／Ｄ変換部３から出力される撮像画像信号に含まれる固定パターンノイズを補正する。
【００３４】
フレーム（５）において、コントローラ７は、切り換え部５に固定パターンノイズ検出部４Ｂの出力を選択させるとともに、アナログゲイン部２の有効期間のゲイン値をｍに変更する。固定パターンノイズ補正部６は、固定パターンノイズ検出部４Ｂからの補正値に基づいて、Ａ／Ｄ変換部３から出力される撮像画像信号に含まれる固定パターンノイズを補正する。このような動作により、有効期間のゲイン値を変更した直後にも、そのゲイン値に対応した補正値を用いることが可能となるので、ゲイン値の変化を即時に補正値に反映させ、常に精度良く補正を行うことができる。
【００３５】
なお、図４において、フレーム（５）以降は、次に設定する予定のゲイン値をｏとして、固定パターンノイズ検出部４Ａで固定パターンノイズの検出および保持が行われる。また、フレーム（５）以降は、固定パターンノイズ検出部４Ｂで、現在適応中のゲイン値ｍに対応した固定パターンノイズの検出および保持が行われる。
【００３６】
上述したように、本実施形態によれば、垂直ブランキング期間に、２種類のゲイン値に応じた固定パターンノイズが固定パターンノイズ検出部４Ａ，４Ｂで予め検出および保持される。また、有効期間にアナログゲイン部２が用いるゲイン値に応じて、固定パターンノイズ検出部４Ａ，４Ｂの出力のいずれかに基づいて、撮像画像信号に含まれる固定パターンノイズが補正される。これによって、固定パターンノイズの状態が変わった場合でも、その変化を即時に反映させた状態で固定パターンノイズの補正を行うことができる。
【００３７】
（第３の実施形態）
次に、本発明の第３の実施形態を説明する。図５は、本実施形態による固体撮像装置の構成を示している。図３に示した固体撮像装置との相違点は、２つの固定パターンノイズ検出部４Ａ，４Ｂの代わりに３つの固定パターンノイズ検出部４Ａ，４Ｂ，４Ｃを設けた点である。固定パターンノイズ検出部４Ａ，４Ｂ，４Ｃの構成は、図２に示した構成と同一である。
【００３８】
以下、図６および図７を用いて、本実施形態による固体撮像装置の動作を説明する。図４に示した動作との相違点は、現在適応中のゲイン値がｎであり、次に設定する予定のゲイン値がｍになるかｏになるか分からない点である。以下では、ｍ，ｎ，ｏの大小関係がｍ＜ｎ＜ｏであるものとして説明を行う。
【００３９】
一般的なカメラの動画撮像では、ゲインを瞬時に極端に変化させず、ゆっくりと上げたり、下げたりする動作を行う。このゲイン調整は、現在の露出情報をもとに行う場合が多いので、固定パターンノイズの検出に必要な数フレーム前に、ゲインを上げるか、下げるかの判断を行えない場合が多い。
【００４０】
図６および図７の各フレームにおいて、垂直ブランキング期間に３種類の縦スジ検出期間（縦スジ検出期間１、縦スジ検出期間２、および縦スジ検出期間３）が設けられている。フレーム（１）〜（４）においては、コントローラ７により、縦スジ検出期間１のゲイン値にｏが設定され、縦スジ検出期間２のゲイン値にｍが設定され、縦スジ検出期間３と有効期間のゲイン値にｎが設定される。また、コントローラ７からの制御により、縦スジ検出期間１においては、ゲイン値がｏの時の固定パターンノイズが固定パターンノイズ検出部４Ｃによって取得され、縦スジ検出期間２においては、ゲイン値がｍの時の固定パターンノイズが固定パターンノイズ検出部４Ｂによって取得され、縦スジ検出期間３においては、ゲイン値がｎの時の固定パターンノイズが固定パターンノイズ検出部４Ａによって取得される。
【００４１】
図６および図７のフレーム（１）〜（４）においては、有効期間のゲイン値にｎが設定されているため、切り換え部５は、コントローラ７からの制御により、ゲイン値がｎの時の固定パターンノイズが保持されている固定パターンノイズ検出部４Ａの出力を選択する。固定パターンノイズ補正部６は、固定パターンノイズ検出部４Ａからの補正値に基づいて、Ａ／Ｄ変換部３から出力される撮像画像信号に含まれる固定パターンノイズを補正する。
【００４２】
図６のフレーム（５）において、コントローラ７は、切り換え部５に固定パターンノイズ検出部４Ｃの出力を選択させるとともに、アナログゲイン部２の有効期間のゲイン値をｏに変更する。固定パターンノイズ補正部６は、固定パターンノイズ検出部４Ｃからの補正値に基づいて、Ａ／Ｄ変換部３から出力される撮像画像信号に含まれる固定パターンノイズを補正する。
【００４３】
また、図７のフレーム（５）において、コントローラ７は、切り換え部５に固定パターンノイズ検出部４Ｂの出力を選択させるとともに、アナログゲイン部２の有効期間のゲイン値をｍに変更する。固定パターンノイズ補正部６は、固定パターンノイズ検出部４Ｂからの補正値に基づいて、Ａ／Ｄ変換部３から出力される撮像画像信号に含まれる固定パターンノイズを補正する。このような動作により、有効期間のゲイン値をｎからｏまたはｍに変更した直後にも、そのゲイン値ｏまたはｍに対応した補正値を用いることが可能となるので、ゲイン値の変化を即時に補正値に反映させ、常に精度良く補正を行うことができる。
【００４４】
なお、図６において、フレーム（５）以降は、次に設定する可能性があるゲイン値をｎ，ｐ（ｏ＜ｐ）として、固定パターンノイズ検出部４Ａ，４Ｂで固定パターンノイズの検出および保持が行われる。また、フレーム（５）以降は、固定パターンノイズ検出部４Ｃで、現在適応中のゲイン値ｏに対応した固定パターンノイズの検出および保持が行われる。
【００４５】
同様に、図７において、フレーム（５）以降は、次に設定する可能性があるゲイン値をｌ（ｌ＜ｍ），ｎとして、固定パターンノイズ検出部４Ｃ，４Ａで固定パターンノイズの検出および保持が行われる。また、フレーム（５）以降は、固定パターンノイズ検出部４Ｂで、現在適応中のゲイン値ｍに対応した固定パターンノイズの検出および保持が行われる。
【００４６】
上述したように、本実施形態によれば、垂直ブランキング期間に、３種類のゲイン値に応じた固定パターンノイズが固定パターンノイズ検出部４Ａ，４Ｂ，４Ｃで予め検出および保持される。また、有効期間にアナログゲイン部２が用いるゲイン値に応じて、固定パターンノイズ検出部４Ａ，４Ｂ，４Ｃの出力のいずれかに基づいて、撮像画像信号に含まれる固定パターンノイズが補正される。これによって、固定パターンノイズの状態が変わった場合でも、その変化を即時に反映させた状態で固定パターンノイズの補正を行うことができる。
【００４７】
（第４の実施形態）
次に、本発明の第４の実施形態を説明する。本実施形態による固体撮像装置の構成は、図５に示した構成と同一であるので、図示および説明を省略する。
【００４８】
以下、図８および図９を用いて、本実施形態による固体撮像装置の動作を説明する。図６および図７に示した動作との相違点は、現在適応中のゲイン値ｎに対応する固定パターンノイズの検出は毎フレーム行い、次に設定する可能性があるゲイン値ｍおよびｏの固定パターンノイズの検出は１フレーム毎に交互に行う点である。以下では、ｍ，ｎ，ｏの大小関係がｍ＜ｎ＜ｏであるものとして説明を行う。
【００４９】
図８および図９の各フレームにおいて、垂直ブランキング期間に２種類の縦スジ検出期間（縦スジ検出期間１および縦スジ検出期間２）が設けられている。フレーム（１）〜（４）においては、コントローラ７により、縦スジ検出期間１のゲイン値にｍとｏが交互に設定され、縦スジ検出期間２と有効期間のゲイン値にｎが設定される。また、コントローラ７からの制御により、縦スジ検出期間１においては、ゲイン値がｍの時の固定パターンノイズが固定パターンノイズ検出部４Ｂによって取得され、ゲイン値がｏの時の固定パターンノイズが固定パターンノイズ検出部４Ｃによって取得され、縦スジ検出期間２においては、ゲイン値がｎの時の固定パターンノイズが固定パターンノイズ検出部４Ａによって取得される。
【００５０】
フレーム（１）〜（４）においては、有効期間のゲイン値にｎが設定されているため、切り換え部５は、コントローラ７からの制御により、ゲイン値がｎの時の固定パターンノイズが保持されている固定パターンノイズ検出部４Ａの出力を選択する。固定パターンノイズ補正部６は、固定パターンノイズ検出部４Ａからの補正値に基づいて、Ａ／Ｄ変換部３から出力される撮像画像信号に含まれる固定パターンノイズを補正する。
【００５１】
図８のフレーム（５）において、コントローラ７は、切り換え部５に固定パターンノイズ検出部４Ｃの出力を選択させるとともに、アナログゲイン部２の有効期間のゲイン値をｏに変更する。固定パターンノイズ補正部６は、固定パターンノイズ検出部４Ｃからの補正値に基づいて、Ａ／Ｄ変換部３から出力される撮像画像信号に含まれる固定パターンノイズを補正する。
【００５２】
また、図９のフレーム（５）において、コントローラ７は、切り換え部５に固定パターンノイズ検出部４Ｂの出力を選択させるとともに、アナログゲイン部２の有効期間のゲイン値をｍに変更する。固定パターンノイズ補正部６は、固定パターンノイズ検出部４Ｂからの補正値に基づいて、Ａ／Ｄ変換部３から出力される撮像画像信号に含まれる固定パターンノイズを補正する。このような動作により、有効期間のゲイン値をｎからｏまたはｍに変更した直後にも、そのゲイン値ｏまたはｍに対応した補正値を用いることが可能となるので、ゲイン値の変化を即時に補正値に反映させ、常に精度良く補正を行うことができる。さらに、垂直ブランキング期間を第３の実施形態よりも短縮できるので、フレームレートを速くすることができる。
【００５３】
なお、図８において、フレーム（５）以降は、次に設定する可能性があるゲイン値をｎ，ｐ（ｏ＜ｐ）として、固定パターンノイズ検出部４Ａ，４Ｂで固定パターンノイズの検出および保持が行われる。また、フレーム（５）以降は、固定パターンノイズ検出部４Ｃで、現在適応中のゲイン値ｏに対応した固定パターンノイズの検出および保持が行われる。
【００５４】
同様に、図９において、フレーム（５）以降は、次に設定する可能性があるゲイン値をｌ（ｌ＜ｍ），ｎとして、固定パターンノイズ検出部４Ｃ，４Ａで固定パターンノイズの検出および保持が行われる。また、フレーム（５）以降は、固定パターンノイズ検出部４Ｂで、現在適応中のゲイン値ｍに対応した固定パターンノイズの検出および保持が行われる。
【００５５】
上述したように、本実施形態によれば、垂直ブランキング期間に、３種類のゲイン値に応じた固定パターンノイズが固定パターンノイズ検出部４Ａ，４Ｂ，４Ｃで予め検出および保持される。また、有効期間にアナログゲイン部２が用いるゲイン値に応じて、固定パターンノイズ検出部４Ａ，４Ｂ，４Ｃの出力のいずれかに基づいて、撮像画像信号に含まれる固定パターンノイズが補正される。これによって、固定パターンノイズの状態が変わった場合でも、その変化を即時に反映させた状態で固定パターンノイズの補正を行うことができる。
【００５６】
以上、図面を参照して本発明の実施形態について詳述してきたが、具体的な構成は上記の実施形態に限られるものではなく、本発明の要旨を逸脱しない範囲の設計変更等も含まれる。例えば、アナログゲイン部２を、画素アレイ１のカラム毎に対応させて増幅を行ういわゆるカラムアンプなどの構成としたり、Ａ／Ｄ変換部３を、画素アレイ１のカラム毎に対応させてＡ／Ｄ変換する構成としたりしても同等の効果が得られるのは言うまでもない。また、固定パターンノイズ検出部４、切り換え部５、固定パターンノイズ補正部６、コントローラ７などが画素アレイ１と同一基板上にあっても別基板上であっても同等の効果が得られるのは言うまでもない。
【図面の簡単な説明】
【００５７】
【図１】本発明の第１の実施形態による固体撮像装置の構成を示すブロック図である。
【図２】本発明の第１の実施形態による固体撮像装置が備える固定パターンノイズ検出部の構成を示すブロック図である。
【図３】本発明の第２の実施形態による固体撮像装置の構成を示すブロック図である。
【図４】本発明の第２の実施形態による固体撮像装置の動作を示すタイミングチャートである。
【図５】本発明の第３の実施形態による固体撮像装置の構成を示すブロック図である。
【図６】本発明の第３の実施形態による固体撮像装置の動作を示すタイミングチャートである。
【図７】本発明の第３の実施形態による固体撮像装置の動作を示すタイミングチャートである。
【図８】本発明の第４の実施形態による固体撮像装置の動作を示すタイミングチャートである。
【図９】本発明の第４の実施形態による固体撮像装置の動作を示すタイミングチャートである。
【符号の説明】
【００５８】
１・・・画素アレイ、２・・・アナログゲイン部（ゲイン調整部）、３・・・Ａ／Ｄ変換部、４，４Ａ，４Ｂ，４Ｃ・・・固定パターンノイズ検出部、５・・・切り換え部（選択部）、６・・・固定パターンノイズ補正部、７・・・コントローラ（制御部）、８Ａ，８Ｂ，８Ｃ・・・乗算器、９・・・加算器、１０・・・ラインメモリ
【図１】
2010141392.tif 000003
【図２】
2010141392.tif 000004
【図３】
2010141392.tif 000005
【図４】
2010141392.tif 000006
【図５】
2010141392.tif 000007
【図６】
2010141392.tif 000008
【図７】
2010141392.tif 000009
【図８】
2010141392.tif 000010
【図９】
2010141392.tif 000011